(57)【特許請求の範囲】
【請求項１】
オーバーレイＳＭ送達プロシージャにとってトランスペアレントなアクセス・ネットワークＡＮを介してアクセスされるオーバーレイＳＭ送達ネットワークを含む移動通信システムにおけるショート・メッセージＳＭ送達の管理方法であって、
前記ＡＮを介してユーザ機器ＵＥアクティビティを検出できるＡＮエンティティは、ＵＥが到達可能でないためにＳＭ送達試行が失敗したことを知らされるステップと、
前記ＵＥについて前記ＡＮを介してＵＥアクティビティを検出すると、前記ＡＮエンティティが、前記ＵＥが再び到達可能なときに新しいＳＭ送達試行を担うエンティティに知らせるステップとを含む、方法。
【請求項２】
前記ユーザ機器アクティビティが、前記ＵＥと前記ＡＮエンティティとの間のプロトコルに従う移動性管理アクティビティおよび／またはセッション管理アクティビティを含む、請求項１に記載の方法。
【請求項３】
ＵＥへのＳＭ送達試行の前記失敗がネットワーク・ユーザ・データベースに通知され、前記ネットワーク・ユーザ・データベースが、前記ＡＮを介してユーザ機器ＵＥアクティビティを検出できるＡＮエンティティに、次のＵＥアクティビティを通知されるよう要求する、請求項１または２に記載の方法。
【請求項４】
前記オーバーレイＳＭ送達ネットワークがそれぞれ、ＩＰベース、または発展型パケット・システムにおけるＣＳフォールバック・ベースであり、前記システムがそれぞれ、ＳＭＳＧＭＳＣおよびＩＰＳＭゲートウェイＩＰＳＭＧＷ、またはＳＭＳＧＭＳＣおよびＭＳＣ／ＶＬＲを含み、ＵＥとショート・メッセージ・サービス・センタＳＭＳＳＣとの間で相互に作用するプロトコルを提供する、請求項１乃至３のいずれか１項に記載の方法。
【請求項５】
前記ＡＮエンティティが、発展型パケット・コアＥＰＣを含むＡＮ中の移動性管理エンティティＭＭＥに対応する、請求項１乃至４のいずれか１項に記載の方法。
【請求項６】
前記ネットワーク・ユーザ・データベースがＨＳＳ／ＨＬＲに対応する、請求項３乃至５のいずれか１項に記載の方法。
【請求項７】
ＳＭ送達プロシージャにとってトランスペアレントなアクセス・ネットワークＡＮを介してアクセスされるオーバーレイＳＭ送達ネットワークを含む移動通信システムのためのネットワーク・エンティティであって、
前記ＡＮを介してユーザ機器ＵＥアクティビティを検出できるＡＮエンティティに、ＵＥが到達可能でないためにＳＭ送達試行が失敗したことを知らせる手段を備える、ネットワーク・エンティティ。
【請求項８】
前記ユーザ機器アクティビティが、前記ＵＥと前記ＡＮエンティティとの間のプロトコルに従う移動性管理アクティビティおよび／またはセッション管理アクティビティを含む、請求項７に記載のネットワーク・エンティティ。
【請求項９】
ネットワーク・ユーザ・データベースに対応し、前記ネットワーク・ユーザ・データベースが、ＵＥへのＳＭ送達試行の前記失敗を通知され、前記ＡＮを介してユーザ機器ＵＥアクティビティを検出できるＡＮエンティティに、次のＵＥアクティビティを通知されるよう要求する、請求項７または８に記載のネットワーク・エンティティ。
【請求項１０】
前記ネットワーク・エンティティが加入者データベースＨＬＲ／ＨＳＳに対応する、請求項７乃至９のいずれか１項に記載のネットワーク・エンティティ。
【請求項１１】
ＳＭ送達プロシージャにとってトランスペアレントなアクセス・ネットワークＡＮを介してアクセスされるオーバーレイＳＭ送達ネットワークを含む移動通信システムのためのネットワーク・エンティティであって、
ＵＥが到達可能でないためにＳＭ送達試行が失敗したことに関する情報を受け取る手段と、
前記ＵＥについて前記ＡＮを介してＵＥアクティビティを検出すると、前記ＵＥが再び到達可能なときに新しいＳＭ送達試行を要求することを担うエンティティに知らせる手段とを備える、ネットワーク・エンティティ。
【請求項１２】
前記ユーザ機器アクティビティが、前記ＵＥと前記ＡＮエンティティとの間のプロトコルに従う移動性管理アクティビティおよび／またはセッション管理アクティビティを含む、請求項１１に記載のネットワーク・エンティティ。
【請求項１３】
ＵＥへのＳＭ送達試行の前記失敗がネットワーク・ユーザ・データベースに通知され、前記ネットワーク・ユーザ・データベースが、前記ＡＮを介してユーザ機器ＵＥアクティビティを検出できるＡＮエンティティに、次のＵＥアクティビティを通知されるよう要求する、システムにおいて、前記ＡＮエンティティに対応する、請求項１１または１２に記載のネットワーク・エンティティ。
【請求項１４】
発展型パケット・コアＥＰＣを含むＡＮ中の移動性管理エンティティＭＭＥに対応する、請求項１１乃至１３のいずれか１項に記載のネットワーク・エンティティ。
【請求項１５】
オーバーレイＳＭ送達プロシージャにとってトランスペアレントなアクセス・ネットワークＡＮを介してアクセスされるオーバーレイＳＭ送達ネットワークを含む移動通信システムにおけるショート・メッセージＳＭ送達の管理方法であって、前記ＡＮが発展型パケット・システムＥＰＳを含み、
移動性管理エンティティＭＭＥに対応するＡＮエンティティは、ユーザ機器ＵＥが到達可能でないためにＳＭ送達試行が失敗したことを気付かされるステップを含み、それにより前記ＭＭＥが、発展型無線アクセス・ネットワークＥＵＴＲＡＮにおける前記ＵＥの存在が検出されることによってユーザ・データベースＨＬＲ／ＨＳＳへの通知の送信がトリガされるように、前記ＵＥに対するフラグをセットする、方法。
【請求項１６】
前記オーバーレイＳＭ送達ネットワークがＩＰベースのＳＭ送達ネットワークに対応する、請求項１５に記載の方法。
【請求項１７】
前記ＨＬＲ／ＨＳＳが、ユーザ機器ＵＥが到達可能でないためにＳＭ送達試行が失敗したことを前記ＭＭＥに気付かせるステップを含む、請求項１５または１６に記載の方法。
【請求項１８】
前記ＭＭＥが当該ユーザに対するＭＭコンテキストを有する場合に、前記ＭＭＥが前記フラグをセットして、前記ＵＥとの次の接触が実施されたときに前記ＨＬＲ／ＨＳＳに報告する必要があることを示すステップを含む、請求項１５乃至１７のいずれか１項に記載の方法。
【請求項１９】
ＵＥが到達可能であることの指示を前記ＭＭＥが受け取るステップと、
前記ＭＭＥが前記ＵＥに対するＭＭコンテキストを含む場合であって、前記ＵＥに対する前記フラグがセットされている場合に、前記ＭＭＥが前記通知を前記ＨＬＲ／ＨＳＳに送って前記フラグをクリアするステップとを含む、請求項１５乃至１８のいずれか１項に記載の方法。
【請求項２０】
前記ＨＬＲ／ＨＳＳが、前記フラグがセットされたＵＥについて前記通知またはＵｐｄａｔｅ  Ｌｏｃａｔｉｏｎメッセージを受け取ったときにＳＭＳアラート・プロシージャをトリガするステップを含む、請求項１５乃至１９のいずれか１項に記載の方法。
【請求項２１】
前記オーバーレイＳＭ送達ネットワークがＥＰＳにおけるＣＳフォールバック・ベースのＳＭ送達ネットワークに対応する、請求項１５に記載の方法。
【請求項２２】
ＳＭ送達プロシージャにとってトランスペアレントなアクセス・ネットワークＡＮを介してアクセスされるオーバーレイＳＭ送達ネットワークを含む移動通信システムのためのネットワーク・エンティティであって、前記ＡＮが発展型パケット・システムＥＰＳを含み、前記ネットワーク・エンティティが、
移動性管理エンティティＭＭＥに対応するＡＮエンティティに、ユーザ機器ＵＥが到達可能でないためにＳＭ送達試行が失敗したことを気付かせる手段を備え、それにより前記ＭＭＥが、発展型無線アクセス・ネットワークＥＵＴＲＡＮにおける前記ＵＥの存在が検出されることによってユーザ・データベースＨＬＲ／ＨＳＳへの通知の送信がトリガされるように、前記ＵＥに対するフラグをセットする、ネットワーク・エンティティ。
【請求項２３】
ＨＬＲ／ＨＳＳに対応する、請求項２２に記載のネットワーク・エンティティ。
【請求項２４】
前記オーバーレイＳＭ送達ネットワークがＩＰベースのＳＭ送達ネットワークに対応する、請求項２２または２３に記載のネットワーク・エンティティ。
【請求項２５】
ＨＬＲ／ＨＳＳに対応し、
前記フラグがセットされたＵＥについて前記通知またはＵｐｄａｔｅ  Ｌｏｃａｔｉｏｎメッセージを前記ＨＬＲ／ＨＳＳが受け取ったときに、ＳＭＳアラート・プロシージャをトリガする手段を備える、請求項２２乃至２４のいずれか１項に記載のネットワーク・エンティティ。
【請求項２６】
前記オーバーレイＳＭ送達ネットワークがＥＰＳにおけるＣＳフォールバック・ベースのＳＭ送達ネットワークに対応する、請求項２２に記載のネットワーク・エンティティ。
【請求項２７】
ＳＭ送達プロシージャにとってトランスペアレントなアクセス・ネットワークＡＮを介してアクセスされるオーバーレイＳＭ送達ネットワークを含む移動通信システムのためのネットワーク・エンティティであって、前記ＡＮが発展型パケット・システムＥＰＳを含み、前記ネットワーク・エンティティが、移動性管理エンティティＭＭＥに対応するＡＮエンティティに対応し、
発展型無線アクセス・ネットワークＥＵＴＲＡＮにおける前記ＵＥの存在が検出されることによってユーザ・データベースＨＬＲ／ＨＳＳへの通知の送信がトリガされるように、ユーザ機器ＵＥが到達可能でないためにＳＭ送達試行が失敗したことに気付かされたときに前記ＵＥに対するフラグをセットする手段を備える、ネットワーク・エンティティ。
【請求項２８】
前記オーバーレイＳＭ送達ネットワークがＩＰベースのＳＭ送達ネットワークに対応する、請求項２７に記載のネットワーク・エンティティ。
【請求項２９】
前記ＭＭＥが当該ユーザに対するＭＭコンテキストを有する場合に、前記フラグをセットして、前記ＵＥとの次の接触が実施されたときに前記ＨＬＲ／ＨＳＳに報告する必要があることを示す手段を備える、請求項２７または２８に記載のネットワーク・エンティティ。
【請求項３０】
ＵＥが到達可能であることの指示を受け取る手段と、
前記ＭＭＥが前記ＵＥに対するＭＭコンテキストを含む場合であって、前記ＵＥに対する前記フラグがセットされている場合に、前記通知を前記ＨＬＲ／ＨＳＳに送って前記フラグをクリアする手段とを備える、請求項２７乃至２９のいずれか１項に記載のネットワーク・エンティティ。
【請求項３１】
前記オーバーレイＳＭ送達ネットワークがＥＰＳにおけるＣＳフォールバック・ベースのＳＭ送達ネットワークに対応する、請求項２７に記載のネットワーク・エンティティ。
【発明の詳細な説明】
【技術分野】
【０００１】
本発明は一般に、移動通信ネットワークおよびシステムに関する。
【背景技術】
【０００２】
移動通信ネットワークおよびシステムの詳細な記述は、文献中、特に、例えば３ＧＰＰ（第三世代パートナーシップ・プロジェクト）などの標準化団体によって発行された技術仕様書に見ることができる。
【０００３】
このようなシステム中では、移動局（ＭＳ）またはユーザ機器（ＵＥ）が、アクセス・ネットワーク（ＡＮ）を介して移動サービスへのアクセスを有する。アクセス・ネットワーク（ＡＮ）は一般に、無線アクセス・ネットワーク（ＲＡＮ）およびコア・ネットワーク（ＣＮ）を含む。
【０００４】
種々のタイプの無線アクセス技術に基づく種々のタイプのＲＡＮ、例えばＧＳＭ／ＧＰＲＳ  ＲＡＮ（ＧＥＲＡＮとも呼ばれる）、ＵＭＴＳ  ＲＡＮ（ＵＴＲＡＮとも呼ばれる）、ＬＴＥ  ＲＡＮ（Ｅ−ＵＴＲＡＮとも呼ばれる）、ＷＬＡＮ、ＷＩＭＡＸなどがある。
【０００５】
種々のタイプの移動サービス、具体的にはＣＳ（回路交換）ベースのサービス、ＰＳ（パケット交換）ベースのサービス、ＩＰ（インターネット・プロトコル）ベースのサービス（ＩＭＳ（ＩＰマルチメディア・サブシステム）サービス等）などを、エンドユーザに送達することができる。したがって、コア・ネットワーク（ＣＮ）は、ＣＳ領域、ＰＳ領域（ＧＰＲＳとも呼ばれる）、発展型パケット・コア（ＥＰＣ、Ｅｖｏｌｖｅｄ  Ｐａｃｋｅｔ  Ｃｏｒｅ）、ＩＭＳサブシステムなど、種々の領域およびサブシステムを含む。
【０００６】
図１に、種々のＲＡＮならびにＣＮ領域および／またはサブシステムで構成されるアクセス・ネットワークの種々の例を示す。
【０００７】
ＥＰＣに関するアーキテクチャは、３ＧＰＰ  ＴＳ２３．４０１中で特に指定されており、この仕様書から採用した図２中で想起される。
【０００８】
以下でより詳細に考察する移動サービスの一例は、ＭＳまたはＵＥとの間でのショート・メッセージ（ＳＭ）の送達である。
【０００９】
ショート・メッセージ送達の一例は、ＳＭＳ（ショート・メッセージ・サービス）である。
【００１０】
ＧＳＭ／ＵＭＴＳシステムを介したＳＭＳのサポートは、３ＧＰＰ  ＴＳ２３．０４０中で特に指定されている。具体的には、サービス・センタＳＣから１つのＭＳまたはＵＥにサブミットされたショート・メッセージを転送し、送達報告、または後で送達するための特定の機構を伴う失敗報告によってショート・メッセージの送達に関する情報を提供する、ＧＳＭ／ＵＭＴＳシステムの機能が指定されている。
【００１１】
ＩＭＳ機能を使用した汎用ＩＰベース・アクセス・ネットワークを介したＳＭＳのサポートは、３ＧＰＰ  ＴＳ２３．２０４中で特に指定されている。この仕様書から採用した図３中で、対応するアーキテクチャが想起される。ＩＰショート・メッセージ・ゲートウェイＩＰ−ＳＭ−ＧＷが、ＩＰベースのＵＥとＳＭＳ−ＳＣとの間のショート・メッセージの送達のために相互に作用するプロトコルを提供する。
【００１２】
３ＧＰＰ  ＴＳ２３．２０４中で指定されているＳＭＳ  ｏｖｅｒ  ＩＰは、ＩＭＳシグナリングに基づく。これは、アクセス・ネットワーク（例えばＥ−ＵＴＲＡＮおよびＥＰＣ）に対してトランスペアレントである。
【００１３】
例えばＩＭＳを介してユーザ機器（ＵＥ）に到達可能でないために、ショート・メッセージ（ＳＭ）がＩＭＳシグナリングを介してＵＥに送達されていないとき、ＨＬＲ／ＨＳＳおよびＩＰ−ＳＭ−ＧＷは、この未送達に気付いており、この情報を記憶し（３ＧＰＰ  ＴＳ２３．２０４から採用した図４中で想起されるように）、ＨＬＲ／ＨＳＳは、ＳＭＳ−ＧＭＳＣ／ＳＭＳ−ＩＷ−ＭＳＣを介してショート・メッセージ・サービス・センタ（ＳＭ−ＳＣ）に通知する。
【００１４】
発展型パケット・システム（ＥＰＳ）におけるＣＳフォールバックの場合のＳＭＳのサポートは、３ＧＰＰ  ＴＳ２３．２７２中で、１ｘＲＴＴおよびＧＳＭ／ＵＭＴＳのシナリオについて指定されている。図３−２中で、対応するアーキテクチャが想起される。ショート・メッセージは、３ＧＰＰ  ＴＳ２３．０４０中で指定されているようにＳＭＳ−ＧＭＳＣからＭＳＣ／ＶＬＲに送信され、ＭＳＣ／ＶＬＲは、例えば３ＧＰＰ  ＴＳ２４．０１１プロトコルに従って、Ｅ−ＵＴＲＡＮを介してこのショート・メッセージをＵＥに送信する。３ＧＰＰ  ＴＳ２４．０１１プロトコルの終端装置はＭＳＣ／ＶＬＲおよびＵＥであり、したがって、ＭＭＥおよびＥ−ＵＴＲＡＮは、これに対してトランスペアレントであり、３ＧＰＰ  ＴＳ２４．０１１メッセージのための中継器としての働きをするだけである。この結果、ショート・メッセージの未送達をＭＳＣ／ＶＬＲは気付いているが、Ｅ−ＵＴＲＡＮとＭＭＥはいずれも気付いていない。
【００１５】
このようなコンテキストで、本発明は、少なくとも以下の理由で、この標準の現状が最適でないこと、および／または改善を必要とすることを認識する。
【００１６】
ＳＭＳ  ｏｖｅｒ  ＩＰの場合、ＳＭ送達を再試行するための唯一のトリガは、ＵＥが再びＩＭＳにおいて登録／通信したときであり、この場合、ＨＬＲ／ＨＳＳはＳＭＳ  ＩＷＭＳＣに対するアラート・サービス・センタ・プロシージャを開始し、ＳＭＳ  ＩＷＭＳＣはこれをＳＭ−ＳＣ（図中のＳＣ）に転送し、ＳＭ−ＳＣは再びＳＭを送信する。
【００１７】
しかし、ほとんどの状況では、ＵＥは、無線カバレッジが取り戻されるやいなや即座にＩＭＳシグナリング・プロシージャを開始するのではない。したがって、ＵＥが到達可能であることがすでにアクセス・ネットワークによっていくらかの時間にわたりわかっていたにもかかわらず、長い時間の後にしかＳＭを送信することができない。
【００１８】
同じ問題は、ＵＥ移動性の結果としてＩＰアドレスが変更されない他のアクセス技術でも生じる。一例は、移動ＩＰ  ＩＥＴＦ移動性機構と結合されたＷＬＡＮ技術である。
【００１９】
「ＳＭＳ  ｏｖｅｒ  ＩＰ」３ＧＰＰ仕様書ＴＳ．２３．２０４では、ＩＭＳを介してＳＭＳの送達が失敗したとき、ＩＰ−ＳＭ−ＧＷはまた、ＴＳ２３．０４０に記載のように、ＶＬＲ（ＣＳ領域）またはＳＧＳＮ（ＰＳ領域）を介してＳＭを送信することを試みる。しかし、主な違いは、３ＧＰＰ  ＴＳ２３．０４０では、ＶＬＲおよび／またはＳＧＳＮはＳＭ送達プロシージャに参与するが、３ＧＰＰ  ＴＳ２３．２０４におけるような純粋なＳＭＳ  ｏｖｅｒ  ＩＰの場合は、アクセス・ネットワークはＳＭ送達プロシージャに対してトランスペアレントである、ということである。したがって、ＶＬＲおよび／またはＳＧＳＮは、送達の結果に気付いており、ＳＭの送達が失敗したときにはフラグ（ＶＬＲ中ではＭＮＲＦ、ＳＧＳＮ中ではＭＮＲＧ）をセットする。ＣＳ領域またはＰＳ領域において無線カバレッジ中でＵＥが再び検出されたとき、かつフラグがセットされている場合は、ＶＬＲまたはＳＧＳＮは、ＵＥが再び到達可能であることをＨＬＲ／ＨＳＳに通知する（ＴＳ．２９．００２  Ｒｅａｄｙ−Ｆｏｒ−ＳＭメッセージを送ることによって）。ＨＬＲ／ＨＳＳは、アラート・サービス・センタ・プロシージャをＳＭＳ  ＩＷＭＳＣに対して開始し、ＳＭＳ  ＩＷＭＳＣはこれをＳＭ−ＳＣ（図中のＳＣ）に転送し、ＳＭ−ＳＣは再びＳＭを送信する。
【００２０】
ＵＥが無線カバレッジ下に存在することをＶＬＲおよび／またはＳＧＳＮが検出するのは、常に即座とは限らないが、いずれにしてもＳＭＳ  ｏｖｅｒ  ＩＰ機構の場合よりは速い。これは、ＵＥからのほとんどのＮＡＳ（非アクセス層）ＴＳ２４．００８メッセージ（例えばＩＭＳＩ  Ａｔｔａｃｈ、ＧＰＲＳ  Ａｔｔａｃｈ、ＬＡ／ＲＡ  Ｕｐｄａｔｅ、ＣＭ  Ｓｅｒｖｉｃｅ  Ｒｅｑｕｅｓｔ、ＰＤＰ  Ｃｏｎｔｅｘｔ  Ａｃｔｉｖａｔｉｏｎ  Ｒｅｑｕｅｓｔ等）などや、ＧＥＲＡＮ−ＧＰＲＳの場合のＬＬＣ制御プレーン、さらにはユーザ・プレーンのメッセージなど、必ずしもＩＭＳシグナリングではないシグナリングを介してＵＥが検出されるからである。
【００２１】
従来の解決法は、ＩＭＳを介した送達が失敗した後でＴＳ２３．０４０に記載のようにＣＳ／ＰＳ領域ＳＭＳ送達を試みることにあるが、この解決法は、Ｅ−ＵＴＲＡＮには機能しない。というのは、ＧＥＲＡＮおよびＵＴＲＡＮとは異なり、ＥＰＳ（発展型パケット・システム。ＥＰＣ（発展型パケット・コア）を含む）およびＥ−ＵＴＲＡＮ（発展型ＵＴＲＡＮ）に対してトランスペアレントでないＳＭＳ送達機構がないからである。
【００２２】
ＴＳ２３．２７２中で指定されている、ＥＰＳにおけるＣＳフォールバックの場合、ＳＭ送達を再試行するための唯一のトリガは、ＭＳＣ／ＶＬＲがＵＥを検出したときである。というのは、ＭＳＣ／ＶＬＲのみが、ＳＭ送達が失敗したことを記憶しているからである。
【００２３】
ＭＳＣがＥ−ＵＴＲＡＮにおけるＵＥの存在を検出することは、ＧＳＭ／ＵＭＴＳまたはＥＰＳにおいて、以下のようないくつかの状況で達成される。
ａ）ＧＳＭ／ＵＭＴＳならびにＥＰＳ中で、例えばアタッチ・プロシージャ内でまたは結合ＴＡ／ＬＡ更新プロシージャにおいて行われる可能性のあるＬＡ更新プロシージャを、ＵＥが開始したとき。というのは、ＭＳＣ／ＶＬＲには、ＭＭＥとＭＳＣ／ＶＬＲとの間のＳＧｓインタフェースを介して通知されるからである。
ｂ）いずれかの入来または送出ＣＳ領域呼に対して。実際、ＥＰＳにおけるＳＭＳフォールバックでは、ＵＥは、元々Ｅ−ＵＴＲＡＮ中に留まっていた場合、いずれかの入来または送出ＣＳ呼についてＧＥＲＡＮまたはＵＴＲＡＮカバレッジに送られる。
ｃ）ロケーション・サービスや、呼独立補助サービス（Ｃａｌｌ  ｉｎｄｅｐｅｎｄｅｎｔ  Ｓｕｐｐｌｅｍｅｎｔａｒｙ  Ｓｅｒｖｉｃｅ）など、いずれかのプロシージャに対して。
【００２４】
しかし、ＵＥは、ＰＳセッションのみでＥ−ＵＴＲＡＮカバレッジ中に残る場合がある（例えばウェブ閲覧、ｅメール、企業アクセスなどのために）。そして、ＵＥがその無線アクセス技術の下で到達可能であり、ＵＥが到達可能であると発展型パケット・コア（ＥＰＣ）に属する移動性管理エンティティ（ＭＭＥ）にわかっているにもかかわらず、ＵＥはＭＳＣ／ＶＬＲによって検出されないことになる。したがって、ＵＥが到達可能であることがすでにアクセス・ネットワークにわかっているにもかかわらず、ショート・メッセージは、長い時間の後にしか送信されない場合がある。
【先行技術文献】
【非特許文献】
【００２５】
【非特許文献１】３ＧＰＰ  ＴＳ２３．４０１
【非特許文献２】３ＧＰＰ  ＴＳ２３．０４０
【非特許文献３】３ＧＰＰ  ＴＳ２３．２０４
【非特許文献４】３ＧＰＰ  ＴＳ２３．２７２
【非特許文献５】３ＧＰＰ  ＴＳ２４．０１１
【非特許文献６】３ＧＰＰ  ＴＳ２９．００２
【非特許文献７】３ＧＰＰ  ＴＳ２４．００８
【発明の概要】
【発明が解決しようとする課題】
【００２６】
本発明は特に、このような問題を解決すること、および／またはこのような欠点を回避することを可能にする。より一般的には、本発明の目的は、このようなシステムにおけるショート・メッセージ送達を改善し、それによりエンドユーザに対するサービス品質を改善することである。
【課題を解決するための手段】
【００２７】
これらおよび他の目的は、本発明の一態様では、ＳＭ送達プロシージャに対してトランスペアレントなアクセス・ネットワークＡＮを介してアクセスされるオーバーレイＳＭ送達ネットワークを含む移動通信システムにおけるショート・メッセージＳＭ送達の管理方法によって達成され、前記方法は、
−  前記ＡＮを介してユーザ機器ＵＥアクティビティを検出できるＡＮエンティティに、ＵＥが到達可能でないためにＳＭ送達試行が失敗したことを知らせるステップと、
−  前記ＵＥについて前記ＡＮを介してＵＥアクティビティを検出すると、前記ＡＮエンティティが、前記ＵＥが再び到達可能であるときに新しいＳＭ送達試行を要求することを担うエンティティに知らせるステップとを含む。
【００２８】
これらおよび他の目的は、本発明の別の態様では、このような方法を実施する手段を備える移動通信システムによって達成される。
【００２９】
これらおよび他の目的は、本発明の別の態様では、このような方法を実施する手段を備える移動通信システム用ネットワーク・エンティティ（具体的には、ＡＮエンティティ（ＭＭＥ等）およびネットワーク・ユーザ・データベース（ＨＬＲ／ＨＳＳ等）など）によって達成される。
【００３０】
これらおよび他の目的は、本発明の別の態様では、少なくとも１つのこのようなネットワーク・エンティティを備える移動通信システムによって達成される。
【００３１】
本発明のこれらおよび他の目的は、添付の図面と共に以下の記述を読めばより明らかになるであろう。
【図面の簡単な説明】
【００３２】
【図１】アクセス・ネットワークの種々の例を想起する図である。
【図２】発展型パケット・コア（ＥＰＣ）に関する一般的なアーキテクチャを想起する図である。
【図３】ＳＭＳ  ｏｖｅｒ  ＩＰに関する一般的なアーキテクチャを想起する図である。
【図３−２】ＥＰＳにおけるＣＳフォールバック経由ＳＭＳに関する一般的なアーキテクチャを想起する図である。
【図４】ＳＭＳ  ｏｖｅｒ  ＩＰの場合のＳＭ終端プロシージャ失敗の処理を想起する図である。
【図４−２】ＥＰＳにおけるＣＳフォールバック経由ＳＭＳの場合のＳＭ終端プロシージャ失敗の処理を想起する図である。
【図５】ＳＭＳ  ｏｖｅｒ  ＩＰの場合の、本発明による方法の一実施形態を示す図である。
【図５−２】ＥＰＳにおけるＣＳフォールバック経由ＳＭＳの場合の、本発明による方法の一実施形態を示す図である。
【図６】本発明の一実施形態におけるＳＭＳ送達失敗通知プロシージャを示す図である。
【図７】本発明の一実施形態における移動ユーザ・アクティビティ・プロシージャを示す図である。
【図８】本発明の一実施形態による新しい機構を含むＭｅｓｓａｇｅｓ−Ｗａｉｔｉｎｇサービス要素を示す図である。
【図９】本発明の一実施形態による新しい機構を含むアラートＳＣプロシージャを示す図である。
【図１０】本発明の一実施形態による新しい機構を含む、ＳＭＳ  ｏｖｅｒ  ＩＰの場合の送達報告プロシージャを示すことを意図した図である。
【図１０−２】本発明の一実施形態による新しい機構を含む、ＥＰＳにおけるＣＳフォールバック経由ＳＭＳの場合の送達報告プロシージャを示すことを意図した図である。
【図１１】本発明の一実施形態による新しい機構を含む、ＵＥが利用可能なときのＳＭＳ  ｏｖｅｒ  ＩＰの場合のショート・メッセージ・アラート・プロシージャを示すことを意図した図である。
【図１１−２】本発明の一実施形態による新しい機構を含む、ＵＥが利用可能なときのＥＰＳにおけるＣＳフォールバック経由ＳＭＳの場合のショート・メッセージ・アラート・プロシージャを示すことを意図した図である。
【発明を実施するための形態】
【００３３】
以下の記述では、本発明が適用される例として、発展型パケット・コアＥＰＣを含むＡＮを介したオーバーレイＳＭＳの場合を、より特化して考察する。しかし、本発明はそのような例に限定されないことを理解されたい。
【００３４】
一実施形態では、本発明は、ＭＭＥがＳＭの送達失敗に気付かされ、次いでＭＭＥが、Ｅ−ＵＴＲＡＮにおけるこのＵＥの存在が例えばこのＵＥからのほとんどのＮＡＳ（非アクセス層）メッセージを介して検出されることによってＨＬＲ／ＨＳＳへの通知（Ｒｅａｄｙ−Ｆｏｒ−ＳＭメッセージなど）の送信がトリガされるように、このＵＥに対するフラグをセットすることを規定する。ＭＭＥは、通知を送信すると、このＵＥに対するＭＭＥの内部フラグをリセットする。
【００３５】
ＥＰＣアーキテクチャはＭＭＥとＨＬＲ／ＨＳＳとの間のインタフェース（Ｓ６ａ）を含むので、このインタフェースを再使用してＳＭ送達失敗をＭＭＥに気付かせることを提案する。
【００３６】
さらに、オプションとして、ＳＭ送達が成功したときにＨＬＲ／ＨＳＳがまたＭＭＥフラグをリセットするようＭＭＥに通知を送信することも可能であろうが、これはネットワーク中のシグナリングを低減しないであろう。
【００３７】
一実施形態では、ＳＭＳ  ｏｖｅｒ  ＩＰについては、図５に示すように、以下のステップが提供される。
−  ステップ１で、ＳＭは、ＴＳ２３．２０４に記載のように、ＳＭＳ−ＧＭＳＣからＩＰ−ＳＭ−ＧＷを介しＩＭＳを介してＵＥに向けて送信される。
−  ステップ２で、ＵＥが到達可能でないために送達が失敗した場合、ＴＳ２３．２０４に記載のように、ＩＰ−ＳＭ−ＧＷはＳＭＳ−ＧＭＳＣに通知し、ＳＭＳ−ＧＭＳＣはＨＬＲ／ＨＳＳに通知する。
−  ステップ３で、ＨＬＲ／ＨＳＳは、ＳＭＳ−ＧＭＳＣからこの通知を受け取ると、「ＳＭ−ＤＥＬＩＶＥＲＹ−ＦＡＩＬＵＲＥ−ＮＯＴＩＦＩＣＡＴＩＯＮ」メッセージと呼ばれる通知を、このＵＥに対して登録されたＭＭＥに送る。このメッセージは、ＴＳ２３．０４０およびＴＳ２３．２０４中ですでに指定されているＵＮＲＩ（ＵＥ  ｎｏｔ  Ｒｅａｃｈａｂｌｅ  ｆｏｒ  ＩＰ）パラメータを含む。ＵＮＲＩは、ＳＭが送達を待機していることを示す。
−  ステップ４で、ＭＭＥは、ＵＮＲＩが設定されたこの通知を受け取ると、この通知を記憶する。
−  ステップ５で、ＭＭＥは、ＵＥが再びＥ−ＵＴＲＡＮを介して到達可能であることを検出する。ＭＭＥは、ＵＥからのほとんどのＮＡＳメッセージにより、ＵＥがＥ−ＵＴＲＡＮの下で到達可能であることを検出することができる。
−  ステップ６で、ＭＭＥは、ＲＥＡＤＹ−ＦＯＲ−ＳＭメッセージをＨＬＲ／ＨＳＳに送る。
−  ステップ７で、次いでＨＬＲ／ＨＳＳは、ＩＰ−ＳＭ−ＧＷを介してＳＭ−ＳＣに向けてＳＭアラート・プロシージャをトリガすることができる。
【００３８】
一実施形態では、ＥＰＳにおけるＣＳフォールバック経由ＳＭＳについては、図５−２に示すように、以下のステップが提供される。
−  ステップ１で、ＳＭは、ＴＳ２３．２７２およびＴＳ２３．０４０に記載のように、中継器としての働きをするＭＭＥおよびＥ−ＵＴＲＡＮを介して、ＳＭＳ−ＧＭＳＣからＭＳＣ／ＶＬＲを介してＵＥに向けて送信される。
−  ステップ２で、ＵＥが到達可能でないために送達が失敗した場合、ＭＳＣ／ＶＬＲは、中継器としての働きをするＥ−ＵＴＲＡＮおよびＭＭＥを介して（かつ、もしあればＳＭＳルータを介して）、ＳＭＳ−ＧＭＳＣに通知する。ＳＭＳ−ＧＭＳＣは、ＴＳ２３．２７２およびＴＳ２３．０４０に記載のように、ＨＬＲ／ＨＳＳに通知する。
−  ステップ３で、ＨＬＲ／ＨＳＳは、ＳＭＳ−ＧＭＳＣからこの通知を受け取ると、「ＳＭ−ＤＥＬＩＶＥＲＹ−ＦＡＩＬＵＲＥ−ＮＯＴＩＦＩＣＡＴＩＯＮ」メッセージと呼ばれる通知を、このＵＥに対して登録されたＭＭＥに送る。このメッセージは、ＴＳ２３．０４０中ですでに指定されているＭｏｂｉｌｅ  Ｓｔａｔｉｏｎ  Ｎｏｔ  Ｒｅａｃｈａｂｌｅ  Ｆｌａｇ（ＭＮＲＦ）パラメータを含む。ＭＮＲＦは、ＳＭが送達を待機していることを示す。
−  ステップ４で、ＭＭＥは、Ｍｏｂｉｌｅ  Ｓｔａｔｉｏｎ  Ｎｏｔ  Ｒｅａｃｈａｂｌｅ  Ｆｌａｇ（ＭＮＲＦ）が設定されたこの通知を受け取ると、この通知を記憶する。
−  ステップ５で、ＭＭＥは、ＵＥが再びＥ−ＵＴＲＡＮを介して到達可能であることを検出する。ＭＭＥは、ＵＥからのほとんどのＮＡＳメッセージにより、ＵＥがＥ−ＵＴＲＡＮの下で到達可能であることを検出することができる。
−  ステップ６で、ＭＭＥは、ＲＥＡＤＹ−ＦＯＲ−ＳＭメッセージをＨＬＲ／ＨＳＳに送る。
−  ステップ７で、次いでＨＬＲ／ＨＳＳは、ＳＭＳ−ＧＭＳＣを介してＳＭ−ＳＣに向けてＳＭアラート・プロシージャをトリガすることができる。
【００３９】
別の態様では、本発明は、ＵＥが再びＥ−ＵＴＲＡＮ中で利用可能になった後できるだけ早くＳＭＳ送達再試行を開始するための、ＳＭＳの送信が失敗したときのＥ−ＵＴＲＡＮの場合のＳＭＳ  ｏｖｅｒ  ＩＰ、またはＥＰＳにおけるＣＳフォールバック経由ＳＭＳについての新しい機構を導入する。
【００４０】
具体的には、本発明は、以下の機構を導入する。
１）Ｅ−ＵＴＲＡＮ経由でＩＰ−ＳＭ−ＧＷまたはＭＳＣ／ＶＬＲを介してＳＭＳを送達する試みの失敗をＭＭＥに気付かせるためにＨＬＲ／ＨＳＳによって開始される、新しいプロシージャ「ＳＭＳ−ＤＥＬＩＶＥＲＹ−ＦＡＩＬＵＲＥ−ＮＯＴＩＦＩＣＡＴＩＯＮ」。
２）ＳＭＳ−ＳＣが既存の機構を用いてＳＭＳを再送信できるように、ＵＥが到達可能になったときにＨＬＲ／ＨＳＳに通知するための、ＭＭＥにおける「ＲＥＡＤＹ−ＦＯＲ−ＳＭメッセージ」の使用。
３）２３．０４０中で指定されているパラメータＵＮＲＩ（ＵＥ−Ｎｏｔ−Ｒｅａｃｈａｂｌｅ−ｆｏｒ−ＩＰ）およびＭｏｂｉｌｅ  Ｓｔａｔｉｏｎ  Ｎｏｔ  Ｒｅａｃｈａｂｌｅ  Ｆｌａｇ（ＭＮＲＦ）が、ＨＬＲ／ＨＳＳ中のＵＮＲＩおよびＭＮＲＦのコピーとしてＭＭＥ中で導入される。
【００４１】
別の態様では、本発明は、ＳＭＳ  ｏｖｅｒ  ＩＰ（ＥＰＣアーキテクチャは３ＧＰＰ  ＴＳ２３．４０１中で特に指定されている）、およびＥＰＳにおけるＣＳフォールバック経由ＳＭＳ（ＥＰＳにおけるＣＳフォールバック経由ＳＭＳは３ＧＰＰ  ＴＳ２３．２７２中で指定されている）のための、ＥＰＣにおける新しい機構を導入する。
【００４２】
本発明は、ＳＭＳがＥ−ＵＴＲＡＮにおいてＩＰ経由ＩＰ−ＳＭ−ＧＷまたはＭＳＣ／ＶＬＲを介してうまく送達されなかったときにＳＭＳ送達を再試行するための、オーバーレイＳＭＳ送達補助プロシージャとも呼ばれる新しいプロシージャを導入する。一実施形態では、これは以下の２つのプロシージャを含む。
−  ＳＭＳ送達失敗通知プロシージャ
−  移動ユーザ・アクティビティ・プロシージャ
【００４３】
図６に、ＳＭＳ送達失敗通知プロシージャの一例を示す。
【００４４】
ＵＥが到達可能でないためにＳＭＳがＵＥに送達されていないことを、ＨＬＲ／ＨＳＳがＳＭＳ−ＧＭＳＣから通知された場合、ＨＬＲ／ＨＳＳは、ＴＳ２３．０４０に記載のようにＵＮＲＩまたはＭＮＲＦをセットし、ＵＮＲＩまたはＭＮＲＦ状態が変化した場合、ＨＬＲ／ＨＳＳは、ＳＭ−ＤＥＬＩＶＥＲＹ−ＦＡＩＬＵＲＥ−ＮＯＴＩＦＩＣＡＴＩＯＮ（ＵＮＲＩ＝ＴＲＵＥ、またはＭＮＲＦ＝ＴＲＵＥ）をＭＭＥに送る。ＭＭＥがこのユーザに対するＭＭコンテキストを有する場合、ＭＭＥは、ＵＮＲＩまたはＭＮＲＦをセットして、このＵＥとの次の接触が実施されたときにＨＬＲ／ＨＳＳに報告する必要があることを示す。
【００４５】
図７に移動ユーザ・アクティビティ・プロシージャの一例を示すが、これは以下のステップを含む。
１．ＭＭＥは、ＵＥが到達可能であることの指示、例えばＵＥからのＡｔｔａｃｈ  Ｒｅｑｕｅｓｔメッセージを受け取る。
２ａ．ＭＭＥがこのＵＥのコンテキストＭＭを含み、このＵＥに対するＵＮＲＩまたは／およびＭＮＲＦがセットされている場合は、ＭＭＥは、Ｒｅａｄｙ  ｆｏｒ  ＳＭ（ＩＭＳＩ、ＭＳ  Ｒｅａｃｈａｂｌｅ）メッセージをＨＬＲ／ＨＳＳに送るものとし、このＵＥに対するＵＮＲＩまたは／およびＭＮＲＦをクリアする。
２ｂ．ＭＭＥがこのＵＥのコンテキストＭＭを保持していない場合は、ＭＭＥは、Ｕｐｄａｔｅ  Ｌｏｃａｔｉｏｎメッセージ（「ＧＰＲＳアタッチ機能」の節を参照されたい）をＨＬＲ／ＨＳＳに送るものとする。
３．ＨＬＲ／ＨＳＳが、ＵＮＲＩまたは／およびＭＮＲＦが設定されたＵＥについてＲｅａｄｙ  ｆｏｒ  ＳＭメッセージまたはＵｐｄａｔｅ  Ｌｏｃａｔｉｏｎメッセージを受け取ると、ＨＬＲ／ＨＳＳは、ＴＳ２３．０４０およびＴＳ２３．２０４に記載のようにＳＭＳアラート・プロシージャをトリガする。
【００４６】
本発明は、ＭＭＥによって維持されるＭＭベアラ・コンテキストにおける、以下の新しいフィールドを導入する。
ＵＮＲＩ（ＵＥ  Ｎｏｔ  Ｒｅａｃｈａｂｌｅ  ｆｏｒ  ＩＰ）、およびＭｏｂｉｌｅ  Ｓｔａｔｉｏｎ  Ｎｏｔ  Ｒｅａｃｈａｂｌｅ  Ｆｌａｇ（ＭＮＲＦ）。
【００４７】
別の態様では、本発明は、ＳＭＳアーキテクチャにおける新しい機構を導入する（ＳＭＳアーキテクチャは３ＧＰＰ  ＴＳ２３．０４０中で特に指定されている）。
１）本発明は、Ｍｅｓｓａｇｅｓ−Ｗａｉｔｉｎｇ（ＭＷ）サービス要素における新しい機構を導入する。
【００４８】
一実施形態では、（図８に示すように）、
−  Ｍｅｓｓａｇｅｓ−Ｗａｉｔｉｎｇ情報もまた、ＩＰ−ＳＭ−ＧＷ中およびＭＭＥ中に位置するＵＥ−Ｎｏｔ−Ｒｅａｃａｂｌｅ−ｆｏｒ−ＩＰ（ＵＮＲＩ）と、ＭＳＣ／ＶＬＲ中およびＭＭＥ中に位置するＭｏｂｉｌｅ  Ｓｔａｔｉｏｎ  Ｎｏｔ  Ｒｅａｃｈａｂｌｅ  Ｆｌａｇ（ＭＮＲＦ）を含む。
−  ＨＬＲ／ＨＳＳ、ＩＰ−ＳＭ−ＧＷ、およびＭＭＥ内のＵＥ−Ｎｏｔ−Ｒｅａｃａｂｌｅ−ｆｏｒ−ＩＰ（ＵＮＲＩ）は、Ａｂｓｅｎｔ  Ｓｕｂｓｃｒｉｂｅｒの原因でショート・メッセージをＵＥに送達する試みが失敗したためにリストＭＷＤが１つまたは複数のリスト要素を含むときは値ＴＲＵＥをとり、そうでないときは値ＦＡＬＳＥをとるブール・パラメータである。
−  ＨＬＲ／ＨＳＳ、ＭＳＣ／ＶＬＲ、およびＭＭＥ内のＭｏｂｉｌｅ  Ｓｔａｔｉｏｎ  Ｎｏｔ  Ｒｅａｃｈａｂｌｅ  Ｆｌａｇ（ＭＮＲＦ）は、Ａｂｓｅｎｔ  Ｓｕｂｓｃｒｉｂｅｒの原因でショート・メッセージをＵＥに送達する試みが失敗したためにリストＭＷＤが１つまたは複数のリスト要素を含むときは値ＴＲＵＥをとり、そうでないときは値ＦＡＬＳＥをとるブール・パラメータである。
−  ＭＳまたはＵＥが一時的に不在であるために、移動終端されるショート・メッセージ送達がＩＰ−ＳＭ−ＧＷまたはＭＳＣ／ＶＬＲにおいて失敗したとき、ＳＣアドレスがＭＷＤリストに挿入され（まだ存在しなければ）、ＵＮＲＩまたはＭＮＲＦがセットされ（まだセットされていなければ）、ＵＮＲＲまたはＭＮＲＲ−ＭＳＣが更新される（情報が利用可能であれば）。ＵＮＲＩまたはＭＮＲＦ状態が変化したとき、ＨＬＲ／ＨＳＳは、ＵＥに対して登録されているＭＭＥがあればそのＭＭＥに、ＳＭ−ＤＥＬＩＶＥＲＹ−ＦＡＩＬＵＲＥ−ＮＯＴＩＦＩＣＡＴＩＯＮ（ＵＮＲＩまたはＭＮＲＦ）を送るものとする。
−  ＵＮＲＩまたはＭＮＲＦ状態変化（セット／クリア）時にＭＭＥがＨＬＲ／ＨＳＳからＳＭ−ＤＥＬＩＶＥＲＹ−ＦＡＩＬＵＲＥ−ＮＯＴＩＦＩＣＡＴＩＯＮ（ＵＮＲＩまたはＭＮＲＦ）を受け取ったとき、ＭＭＥは、ＵＮＲＩまたはＭＮＲＦを記憶する。
【００４９】
２）本発明は、新しいＭＭＥ機能を導入する。一実施形態では、本発明は以下を提供する。
−  ＵＮＲＩまたは／およびＭＮＲＦを含むＳＭ−ＤＥＬＩＶＥＲＹ−ＦＡＩＬＵＲＥ−ＮＯＴＩＦＩＣＡＴＩＯＮをＭＭＥがＨＬＲ／ＨＳＳから受け取ったとき、ＭＭＥは、ＵＮＲＩまたは／およびＭＮＲＦを記憶するものとする。
−  ＭＳまたはＵＥが再び到達可能になりつつあるとき、ＨＬＲ／ＨＳＳは、ＭＳまたはＵＥが到達可能であることを「Ｒｅａｄｙ  Ｆｏｒ  ＳＭ」によってＭＭＥを介して通知される。
【００５０】
３）本発明は、ＳＭアラート・プロシージャにおける新しい規定を導入し、これにより、Ｒｅａｄｙ  Ｆｏｒ  ＳＭメッセージがＨＬＲ／ＨＳＳに送られる。
【００５１】
一実施形態では、本発明は、Ｒｅａｄｙ  Ｆｏｒ  ＳＭ（ＭＳ  ｒｅａｃｈａｂｌｅ）メッセージ（図９のステップ１１）が、ＶＬＲ、ＭＭＥ、またはＳＧＳＮからＨＬＲ／ＨＳＳにアラート情報を転送する手段を提供することを規定する。
【００５２】
ＳＭアラート・プロシージャは、ＭＳまたはＵＥがアクティブであることをＶＬＲ、ＭＭＥ、またはＳＧＳＮが検出したとき、例えばＭＳまたはＵＥがページング要求に応答したときに、アクティブ化される。
【００５３】
別の態様では、本発明は、Ｅ−ＵＴＲＡＮの場合のＳＭＳ  ｏｖｅｒ  ＩＰアーキテクチャ（ＳＭＳ  ｏｖｅｒ  ＩＰアーキテクチャは３ＧＰＰ  ＴＳ２３．２０４中で特に指定されている）のための新しい機構、および、ＥＰＳにおけるＣＳフォールバック経由ＳＭＳ（ＥＰＳにおけるＣＳフォールバック経由ＳＭＳは３ＧＰＰ  ＴＳ２３．２７２中で指定されている）のための新しい機構を導入する。
【００５４】
１）本発明は、ＨＬＲ／ＨＳＳによってサポートされる新しい機能を導入する。
一実施形態では、本発明は、以下のことを規定する。
ＵＥに対するＭＭＥがＨＬＲ／ＨＳＳ中でわかっている場合、ＨＬＲ／ＨＳＳは、ＨＳＳ中のＵＮＲＩまたはＭＮＲＦ状態が変化したときにＭＭＥに通知する。
【００５５】
２）本発明は、ＳＭＳ  ｏｖｅｒ  ＩＰについて３ＧＰＰ  ＴＳ２３．２０４中で指定され図１０に示される、かつＥＰＳにおけるＣＳフォールバック経由ＳＭＳについて３ＧＰＰ  ＴＳ２３．０４０中で指定され図１０−２に示される、送達報告プロシージャにおいて、新しい規定を導入する。図１０のステップ１１ａと、図１０−２のステップ３とを参照すると、一実施形態では、本発明は以下のことを規定する。
ＵＥに対するＭＭＥがＨＬＲ／ＨＳＳ中でわかっている場合、ＨＬＲ／ＨＳＳは、ＨＬＲ／ＨＳＳ中のＵＮＲＩまたはＭＮＲＦが変化したときにＳＭ−ＤＥＬＩＶＥＲＹ−ＦＡＩＬＵＲＥ−ＮＯＴＩＦＩＣＡＴＩＯＮをＭＭＥに送る。ＭＭＥは、ＳＭ−ＤＥＬＩＶＥＲＹ−ＦＡＩＬＵＲＥ−ＮＯＴＩＦＩＣＡＴＩＯＮを受け取ると、受け取ったＵＮＲＩまたはＭＮＲＦを記憶する。
【００５６】
３）本発明は、ＳＭＳ  ｏｖｅｒ  ＩＰについて３ＧＰＰ  ＴＳ２３．２０４中で指定され図４中で想起される、かつＥＰＳにおけるＣＳフォールバック経由ＳＭＳについて３ＧＰＰ２３．０４０中で指定され図４−２中で想起される、ＳＭ終端プロシージャの失敗において、新しい規定を導入する。一実施形態では、図４のステップ１２および図４−２のステップ３を参照すると、本発明は以下のことを規定する。
ＳＭＳ−ＧＭＳＣは、種々の領域からの正確な結果と共に、新しいＳＭ送達報告ステータスをＨＬＲ／ＨＳＳに送る。ＨＬＲ／ＨＳＳは、対応するＭＷＤ、すなわち、未送達メッセージを記憶するＳＭＳ−ＳＣアドレスと、ＵＥが利用可能でないためにＩＰ−ＳＭ−ＧＷまたはＭＳＣ／ＶＬＲによるそのメッセージの送信が失敗したことを示す失敗理由とを記録する。ＵＥに対するＭＭＥがＨＬＲ／ＨＳＳ中でわかっている場合、ＨＳＳは、ＨＳＳ中のＵＮＲＩまたはＭＮＲＦが変化したときにＳＭ−ＤＥＬＩＶＥＲＹ−ＦＡＩＬＵＲＥ−ＮＯＴＩＦＩＣＡＴＩＯＮをＭＭＥに送る。ＭＭＥは、ＳＭ−ＤＥＬＩＶＥＲＹ−ＦＡＩＬＵＲＥ−ＮＯＴＩＦＩＣＡＴＩＯＮを受け取ると、受け取ったＵＮＲＩまたはＭＮＲＦを記憶する。
【００５７】
４）本発明は、ＳＭＳ  ｏｖｅｒ  ＩＰについて３ＧＰＰ  ＴＳ２３．２０４中で指定され図１１中で想起される、かつＥＰＳにおけるＣＳフォールバック経由ＳＭＳについて３ＧＰＰ  ＴＳ２３．０４０中で指定され図１１−２中で想起される、ＵＥが利用可能なときのショート・メッセージ・アラート・プロシージャにおいて、新しい規定を導入する。一実施形態では、この図のステップ１を参照すると、本発明は、以下のことを規定する。
ＳＭ終端プロシージャの失敗後いつでも、ＵＥは再びＰＳおよび／またはＣＳ領域中でＮＡＳメッセージを介してアタッチまたは通信することがあり、この場合、ＴＳ２３．０４０に記載のように、ＳＧＳＮ、ＭＭＥ、またはＭＳＣ／ＶＬＲからのＲｅａｄｙ  ｆｏｒ  ＳＭメッセージが、ＨＬＲ／ＨＳＳに送られる。
【００５８】
本発明は特に、ＴＳ２３．２０４に記載の既存の純粋なＳＭＳ  ｏｖｅｒ  ＩＰ解決法、またはＴＳ２３．２７２に記載の既存のＥＰＳにおけるＣＳフォールバック経由ＳＭＳの場合よりも早く、ＵＥを検出することができるという利点を有する。
【００５９】
本発明は、前述の例に限定されない。例えば、パラメータ（複数可）ＵＮＲＩおよび／またはＭＮＲＦ以外の新しいパラメータ（複数可）を導入することも可能であろう。これにより、パラメータ（複数可）ＵＮＲＩおよび／またはＭＮＲＦから独立して、新たに導入されたパラメータ（複数可）を管理できることになる。例えばこれにより、ＭＮＲＦと、新たに導入された対応するパラメータとを、独立して管理できることになる。
【００６０】
本発明の原理は、ＷＬＡＮ、ＷＩＭＡＸ、固定アクセスなど、ＵＥ移動性の結果としてＩＰアドレスが変更されない他のアクセス・ネットワークに拡張することができる。一例は、モバイルＩＰ  ＩＥＴＦ移動性機構と結合されたＷＬＡＮ技術である。
【００６１】
この場合、この機構は、ＭＭＥとＨＬＲ／ＨＳＳとの間で上述したのと同様となり、ＡＡＡサーバがＭＭＥの役割を果たすことになる。ＨＬＲ／ＨＳＳにおいてわかっているＭＳまたはＵＥの送達失敗は、結果として、ＨＬＲ／ＨＳＳからＡＡＡサーバへのメッセージとなる。ＵＥとＡＡＡサーバとの間のアクティビティを検出することができ、アクティビティのタイプに応じて（ＵＥはＩＭＳを介して到達可能でなければならない）、ＡＡＡサーバは、ＨＬＲ／ＨＳＳに通知を送ることができる。
【００６２】
一態様では、本発明は、オーバーレイＳＭ送達プロシージャにとってトランスペアレントな移動または固定アクセス・ネットワークＡＮを介してアクセスされるオーバーレイ（例えばＩＰベースのまたはＥＰＳにおけるＣＳフォールバック・ベースの）ＳＭ送達ネットワークを含む移動通信システムにおけるショート・メッセージＳＭ送達の管理方法を提供する。
【００６３】
一実施形態では、前記方法は、
−  前記ＡＮを介してユーザ機器ＵＥアクティビティを検出できるＡＮエンティティに、ＵＥが到達可能でないためにＳＭ送達試行が失敗したことを知らせるステップと、
−  前記ＵＥについて前記ＡＮを介してＵＥアクティビティを検出すると、前記ＡＮエンティティが、前記ＵＥが再び到達可能なときに新しいＳＭ送達試行を担うエンティティに知らせるステップとを含む。
【００６４】
一実施形態では、前記ユーザ機器アクティビティは、前記ＵＥと前記ＡＮエンティティとの間のプロトコルに従う移動性管理アクティビティおよび／またはセッション管理アクティビティを含む。
【００６５】
一実施形態では、ＵＥへのＳＭ送達試行の失敗はネットワーク・ユーザ・データベースに通知され、このネットワーク・ユーザ・データベースは、前記ＡＮを介してユーザ機器ＵＥアクティビティを検出できるＡＮエンティティに、次のＵＥアクティビティを通知されるよう要求する。
【００６６】
別の実施形態では、本発明は、オーバーレイＳＭ送達プロシージャにとってトランスペアレントな移動または固定アクセス・ネットワークＡＮを介してアクセスされるオーバーレイＳＭ送達ネットワークを含む移動通信システムにおけるショート・メッセージＳＭ送達の管理方法を提供し、前記オーバーレイＳＭ送達ネットワークはそれぞれ、ＩＰベース、または発展型パケット・システムにおけるＣＳフォールバック・ベースであり、前記システムはそれぞれ、ＳＭＳ−ＧＭＳＣおよびＩＰ−ＳＭゲートウェイＩＰ−ＳＭ−ＧＷ、またはＳＭＳ−ＧＭＳＣおよびＭＳＣ／ＶＬＲを含み、ＵＥとショート・メッセージ・サービス・センタＳＭＳ−ＳＣとの間で相互に作用するプロトコルを提供する。
【００６７】
一実施形態では、前記方法は、
−  ＵＥが利用可能でないためにＳＭＳがＵＥに送達されていないことをネットワーク・ユーザ・データベースがＳＭＳ−ＧＭＳＣから通知された場合に、ネットワーク・ユーザ・データベースがそれぞれＵＥ−Ｎｏｔ−Ｒｅａｃｈａｂｌｅ−ｆｏｒ−ＩＰ  ＵＮＲＩまたはＭｏｂｉｌｅ  Ｓｔａｔｉｏｎ  Ｎｏｔ  Ｒｅａｃｈａｂｌｅ  Ｆｌａｇ  ＭＮＲＦパラメータを値ＴＲＵＥにセットするステップと、
−  ネットワーク・ユーザ・データベース中のそれぞれＵＮＲＩまたはＭＮＲＦ状態が変化した場合であって、前記ＡＮを介してＵＥアクティビティを検出できるＡＮエンティティがＵＥについてネットワーク・ユーザ・データベース中でわかっている場合に、ネットワーク・ユーザ・データベースが、対応するパラメータＭＮＲＦを含むＳＭ−ＤＥＬＩＶＥＲＹ−ＦＡＩＬＵＲＥ−ＮＯＴＩＦＩＣＡＴＩＯＮをＡＮエンティティに送るステップとを含む。
【００６８】
一実施形態では、前記方法は、
−  ＡＮエンティティが前記対応するパラメータを含むＳＭ−ＤＥＬＩＶＥＲＹ−ＦＡＩＬＵＲＥ−ＮＯＴＩＦＩＣＡＴＩＯＮをネットワーク・ユーザ・データベースから受け取ったときに、ＡＮエンティティが前記対応するパラメータを記憶するステップを含む。
【００６９】
一実施形態では、前記方法は、
−  ＡＮエンティティがこのユーザに対する移動性管理コンテキストを有する場合に、ＡＮエンティティが前記対応するパラメータをセットして、このＵＥとの次の接触が実施されたときにネットワーク・ユーザ・データベースに報告する必要があることを示すステップを含む。
【００７０】
一実施形態では、前記方法は、
−  ＵＥが再び到達可能になりつつあるときに、ＡＮエンティティが、ＵＥが到達可能であることを、メッセージＲｅａｄｙ  Ｆｏｒ  ＳＭを用いてＡＮエンティティを介してネットワーク・ユーザ・データベースに通知するステップを含む。
【００７１】
一実施形態では、前記方法は、
−  ネットワーク・ユーザ・データベースが、メッセージＲｅａｄｙ  ｆｏｒ  ＳＭを受け取ると、ＳＭＳ−ＩＷＭＳＣを介してＳＭ−ＳＣに向けてＳＭアラート・プロシージャをトリガするステップを含む。
【００７２】
一実施形態では、前記方法は、
−  ＵＥが到達可能であることの指示をＡＮエンティティが受け取ったとき、ＡＮエンティティがこのＵＥのＭＭコンテキストを含む場合であってこのＵＥに対する前記対応するパラメータがセットされている場合に、ＡＮエンティティが、パラメータＩＭＳＩ、またはＵＥを識別する任意のパラメータと、ＭＳ  Ｒｅａｃｈａｂｌｅ、またはＵＥが到達可能であることを示す任意のパラメータとを含むＲｅａｄｙ  ｆｏｒ  ＳＭメッセージを、ネットワーク・ユーザ・データベースに送り、このＵＥに対する前記対応するパラメータをクリアするステップを含む。
【００７３】
一実施形態では、前記対応するパラメータはそれぞれ、ＵＥ−Ｎｏｔ−Ｒｅａｃｈａｂｌｅ−ｆｏｒ−ＩＰ  ＵＮＲＩまたはＭｏｂｉｌｅ  Ｓｔａｔｉｏｎ  Ｎｏｔ  Ｒｅａｃｈａｂｌｅ  Ｆｌａｇ  ＭＮＲＦパラメータに対応する。
【００７４】
一実施形態では、
−  前記ＡＮエンティティは、発展型パケット・コアＥＰＣを含むＡＮ中の移動性管理エンティティＭＭＥに対応する。
【００７５】
一実施形態では、
−  前記ネットワーク・ユーザ・データベースは、ＨＳＳ／ＨＬＲに対応する。
【００７６】
別の態様では、本発明はまた、ＳＭ送達プロシージャにとってトランスペアレントな移動または固定アクセス・ネットワークＡＮを介してアクセスされるオーバーレイ（ＩＰベースのまたはＥＰＳ経由ＣＳフォールバック・ベースの）ＳＭ送達ネットワークを含む移動通信システムのためのネットワーク・エンティティを提供する。
【００７７】
一実施形態では、前記ネットワーク・エンティティは、
−  前記ＡＮを介してユーザ機器ＵＥアクティビティを検出できるＡＮエンティティに、ＵＥが到達可能でないためにＳＭ送達試行が失敗したことを知らせる手段を備える。
【００７８】
一実施形態では、前記ユーザ機器アクティビティは、前記ＵＥと前記ＡＮエンティティとの間のプロトコルに従う移動性管理アクティビティおよび／またはセッション管理アクティビティを含む。
【００７９】
一実施形態では、前記ネットワーク・エンティティはネットワーク・ユーザ・データベースに対応し、このネットワーク・ユーザ・データベースは、ＵＥへのＳＭ送達試行の失敗を通知され、前記ＡＮを介してユーザ機器ＵＥアクティビティを検出できるＡＮエンティティに、次のＵＥアクティビティを通知されるよう要求する。
【００８０】
別の態様では、本発明はまた、ＳＭ送達プロシージャにとってトランスペアレントな移動または固定アクセス・ネットワークＡＮを介してアクセスされるオーバーレイＳＭ送達ネットワークを含む移動通信システムのためのネットワーク・エンティティを提供し、前記オーバーレイＳＭ送達ネットワークはそれぞれ、ＩＰベース、または発展型パケット・システムにおけるＣＳフォールバック・ベースであり、前記システムはそれぞれ、ＳＭＳ−ＧＭＳＣおよびＩＰ−ＳＭゲートウェイＩＰ−ＳＭ−ＧＷ、またはＳＭＳ−ＧＭＳＣおよびＭＳＣ−ＶＬＲを含み、ＵＥとショート・メッセージ・サービス・センタＳＭＳ−ＳＣとの間で相互に作用するプロトコルを提供する。
【００８１】
一実施形態では、前記ネットワーク・エンティティはネットワーク・ユーザ・データベースに対応し、このネットワーク・ユーザ・データベースは、
−  ＵＥが利用可能でないためにＳＭＳがＵＥに送達されていないことをＳＭＳ−ＧＭＳＣから通知された場合に、それぞれＵＥ−Ｎｏｔ−Ｒｅａｃｈａｂｌｅ−ｆｏｒ−ＩＰ  ＵＮＲＩまたはＭｏｂｉｌｅ  Ｓｔａｔｉｏｎ  Ｎｏｔ  Ｒｅａｃｈａｂｌｅ  Ｆｌａｇ  ＭＮＲＦパラメータを値ＴＲＵＥにセットする手段と、
−  ネットワーク・ユーザ・データベース中のそれぞれＵＮＲＩまたはＭＮＲＦ状態が変化した場合であって、前記ＡＮを介してＵＥアクティビティを検出できるＡＮエンティティがＵＥについてネットワーク・ユーザ・データベース中でわかっている場合に、対応するパラメータを含むＳＭ−ＤＥＬＩＶＥＲＹ−ＦＡＩＬＵＲＥ−ＮＯＴＩＦＩＣＡＴＩＯＮをＡＮエンティティに送る手段とを備える。
【００８２】
一実施形態では、前記対応するパラメータはそれぞれ、ＵＥ−Ｎｏｔ−Ｒｅａｃｈａｂｌｅ−ｆｏｒ−ＩＰ  ＵＮＲＩまたはＭｏｂｉｌｅ  Ｓｔａｔｉｏｎ  Ｎｏｔ  Ｒｅａｃｈａｂｌｅ  Ｆｌａｇ  ＭＮＲＦパラメータに対応する。
【００８３】
一実施形態では、前記ネットワーク・エンティティは、
−  ＵＥが再び到達可能であることを示すメッセージＲｅａｄｙ  ｆｏｒ  ＳＭをＡＮエンティティから受け取ると、ＳＭＳ−ＩＷＭＳＣを介してＳＭ−ＳＣに向けてＳＭアラート・プロシージャをトリガする手段を備える。
【００８４】
一実施形態では、前記ネットワーク・エンティティは、加入者データベースＨＬＲ／ＨＳＳに対応する。
【００８５】
別の態様では、本発明はまた、ＳＭ送達プロシージャにとってトランスペアレントな固定または移動アクセス・ネットワークＡＮを介してアクセスされるオーバーレイＳＭ送達ネットワークを含む移動通信システムのための別のネットワーク・エンティティを提供する。
【００８６】
一実施形態では、前記ネットワーク・エンティティは、
−  ＵＥが到達可能でないためにＳＭ送達試行が失敗したことに関する情報を受け取る手段と、
−  前記ＵＥについて前記ＡＮを介してＵＥアクティビティを検出すると、前記ＵＥが再び到達可能なときに新しいＳＭ送達試行を要求することを担うエンティティに知らせる手段とを備える。
【００８７】
一実施形態では、前記ユーザ機器アクティビティは、前記ＵＥと前記ＡＮエンティティとの間のプロトコルに従う移動性管理アクティビティおよび／またはセッション管理アクティビティを含む。
【００８８】
一実施形態では、ＵＥへのＳＭ送達試行の失敗がネットワーク・ユーザ・データベースに通知され、このネットワーク・ユーザ・データベースが、前記ＡＮを介してユーザ機器ＵＥアクティビティを検出できるＡＮエンティティに、次のＵＥアクティビティを通知されるよう要求する、システムにおいて、前記ネットワーク・エンティティは、前記ＡＮエンティティに対応する。
【００８９】
別の態様では、本発明はまた、ＳＭ送達プロシージャにとってトランスペアレントな移動または固定アクセス・ネットワークＡＮを介してアクセスされるオーバーレイＳＭ送達ネットワークを含む移動通信システムのためのネットワーク・エンティティを提供し、前記オーバーレイＳＭ送達ネットワークはそれぞれ、ＩＰベース、または発展型パケット・システムにおけるＣＳフォールバック・ベースであり、前記システムはそれぞれ、ＳＭＳ−ＧＭＳＣおよびＩＰ−ＳＭゲートウェイＩＰ−ＳＭ−ＧＷ、またはＳＭＳ−ＧＭＳＣおよびＭＳＣ／ＶＬＲを含み、ＵＥとショート・メッセージ・サービス・センタＳＭＳ−ＳＣとの間で相互に作用するプロトコルを提供する。
【００９０】
一実施形態では、前記ネットワーク・エンティティは、
−  それぞれＵＥ−Ｎｏｔ−Ｒｅａｃｈａｂｌｅ−ｆｏｒ−ＩＰ  ＵＮＲＩまたはＭｏｂｉｌｅ  Ｓｔａｔｉｏｎ  Ｎｏｔ  Ｒｅａｃｈａｂｌｅ  Ｆｌａｇ  ＭＮＲＦパラメータの状態が変化したときにネットワーク・ユーザ・データベースから送られた、対応するパラメータを含むＳＭ−ＤＥＬＩＶＥＲＹ−ＦＡＩＬＵＲＥ−ＮＯＴＩＦＩＣＡＴＩＯＮを、ＡＮエンティティが受け取ったときに、前記対応するパラメータを記憶する手段を備える。
【００９１】
一実施形態では、前記ネットワーク・エンティティは、
−  ＡＮエンティティがこのユーザに対するＭＭコンテキストを有する場合に、前記対応するパラメータをセットして、このＵＥとの次の接触が実施されたときにネットワーク・ユーザ・データベースに報告する必要があることを示す手段を備える。
【００９２】
一実施形態では、前記ネットワーク・エンティティは、
−  ＵＥが再び到達可能になりつつあるときに、ＵＥが到達可能であることをメッセージＲｅａｄｙ  Ｆｏｒ  ＳＭを用いてＡＮエンティティを介してネットワーク・ユーザ・データベースに通知する手段を備える。
【００９３】
一実施形態では、前記ネットワーク・エンティティは、
−  ＵＥが到達可能であることの指示をＡＮエンティティが受け取ったとき、ＡＮエンティティがこのＵＥのＭＭコンテキストを含む場合であってこのＵＥに対する前記対応パラメータがセットされている場合に、パラメータＩＭＳＩ、またはＵＥを識別する任意のパラメータと、ＭＳ  Ｒｅａｃｈａｂｌｅ、またはＵＥが到達可能であることを示す任意のパラメータとを含むＲｅａｄｙ  ｆｏｒ  ＳＭメッセージを、ネットワーク・ユーザ・データベースに送り、このＵＥに対する前記対応するパラメータをクリアする手段を備える。
【００９４】
一実施形態では、前記対応するパラメータはそれぞれ、ＵＥ−Ｎｏｔ−Ｒｅａｃｈａｂｌｅ−ｆｏｒ−ＩＰ  ＵＮＲＩまたはＭｏｂｉｌｅ  Ｓｔａｔｉｏｎ  Ｎｏｔ  Ｒｅａｃｈａｂｌｅ  Ｆｌａｇ  ＭＮＲＦパラメータに対応する。
【００９５】
一実施形態では、前記ネットワーク・エンティティは、発展型パケット・コアＥＰＣを含むＡＮ中の移動性管理エンティティＭＭＥに対応する。
【００９６】
前述の手段の詳細な実装形態は当業者にとってどんな特別な問題も生じず、したがって、このような手段を、それらの機能によって当業者に対して上に開示したよりも完全に開示する必要はない。
【図１】
0005503645.tif 000002
【図２】
0005503645.tif 000003
【図３】
0005503645.tif 000004
【図３−２】
0005503645.tif 000005
【図４】
0005503645.tif 000006
【図４−２】
0005503645.tif 000007
【図５】
0005503645.tif 000008
【図５−２】
0005503645.tif 000009
【図６】
0005503645.tif 000010
【図７】
0005503645.tif 000011
【図８】
0005503645.tif 000012
【図９】
0005503645.tif 000013
【図１０】
0005503645.tif 000014
【図１０−２】
0005503645.tif 000015
【図１１】
0005503645.tif 000016
【図１１−２】
0005503645.tif 000017